(57)【要約】【課題】災害時や緊急時に愛犬や愛猫等の小動物を入れて非常持ち出しする際に有効利用でき、しかも折り畳んで嵩張らないように保管できる携帯型収容袋を提供することを目的とする。【解決手段】愛犬や愛猫等の小動物を収容して持ち運びするための携帯型収容袋であって、小動物を出し入れする開口部２を有する袋本体１と、開口部２を開閉する開閉部材３と、袋本体１に設けられ、袋本体１内に外気を取り入れる通気部４と、袋本体１に装備され、袋本体１内に小動物の収容空間を形成する形状保持部材５とを備えたことを特徴とする。【選択図】  図１
2006346390.tif 000002
【特許請求の範囲】
【請求項１】
愛犬や愛猫等の小動物を収容して持ち運びするための携帯型収容袋であって、
前記小動物を出し入れする開口部を有する袋本体と、
前記開口部を開閉する開閉部材と、
前記袋本体に設けられ、袋本体内に外気を取り入れる通気部と、
前記袋本体に装備され、袋本体内に前記小動物の収容空間を形成する形状保持部材と、
を備えたことを特徴とする携帯型収容袋。
【請求項２】
前記開閉部材は、前記開口部を窄める形態で閉じる縛り紐を含むことを特徴とする請求項１に記載の携帯型収容袋。
【請求項３】
前記開閉部材は、前記開口部を覆う蓋体を含むことを特徴とする請求項１又は２に記載の携帯型収容袋。
【請求項４】
前記通気部がメッシュで形成されている、請求項１乃至３の何れかに記載の携帯型収容袋。
【請求項５】
前記形状保持部材は、前記袋本体の底面形状に対応する板状に形成されて袋本体内に配置されていることを特徴とする請求項１乃至４の何れかに記載の携帯型収容袋。
【請求項６】
前記形状保持部材は、それ自体が撥水性素材で形成又は撥水性素材で被覆されていることを特徴とする請求項５に記載の携帯型収容袋。
【請求項７】
前記形状保持部材は、吸水性素材を着脱可能に設けるための着脱機構を含むことを特徴とする請求項１乃至６の何れかに記載の携帯型収容容器。
【請求項８】
前記袋本体及び形状保持部材の少なくとも一方が折り畳み可能に構成されていることを特徴とする請求項１乃至７の何れかに記載の携帯型収容袋。
【発明の詳細な説明】
【技術分野】
【０００１】  本発明は、災害時や緊急時に愛犬や愛猫等の小動物を入れて非常持ち出しする際に有効利用できる携帯型収容袋の技術に関するものである。
【背景技術】
【０００２】  近年では一般家庭においても、非常持ち出し袋を常備しているのが普通である。この非常持ち出し袋は、特に、地震災害や火災などの非常時において必要な、最低限の生活必需品や医薬品、貴重品などの非常用物品を収納する袋として多く利用されている。【０００３】  また、携帯可能な通常の篭に愛犬や愛猫等のペット（以下、小動物という）を収容して持ち運びすることも従来から行われている。
【特許文献１】  特開２００１−１８３０９１号公報
【発明の開示】
【発明が解決しようとする課題】
【０００４】  ところで、愛犬や愛猫等のペット（以下、小動物という）は、戸建て住宅に限らず、種々の集合住宅においても多くかわれている。中でも小型の愛犬や愛猫などは室内に同居する形態でかわれている。そのため、地震災害や火災などの非常時には、居住者だけでなくこれらの小動物も避難させる必要がある。【０００５】  しかし、従来の非常持ち出し袋は、耐熱性や耐水性素材からなる密閉型の袋となっているため、生き物である小動物を収容して持ち出すには不適合であり、これを利用することはできない。【０００６】  一方、携帯型の篭は、小動物の非常持ち出しには適しているものの、折り畳み不可能であるため、非常時用として保管しておくには容積が嵩張る問題がある。さらに、この携帯型の篭は、小動物入れ専用であるため、他の非常用物品を収納できない問題もある。【０００７】  本発明は、上記実情に配慮したもので、災害時や緊急時に愛犬や愛猫等の小動物を入れて非常持ち出しする際に有効利用でき、しかも折り畳んで嵩張らないように保管できる携帯型収容袋を提供することを目的とする。
【課題を解決するための手段】
【０００８】  本発明は、愛犬や愛猫等の小動物を収容して持ち運びするための携帯型収容袋であって、小動物を出し入れする開口部を有する袋本体と、開口部を開閉する開閉部材と、袋本体に設けられ、袋本体内に外気を取り入れる通気部と、袋本体に装備され、袋本体内に小動物の収容空間を形成する形状保持部材とを備えたことを特徴とする。【０００９】  本発明の携帯型収納袋は、袋本体内に外気を取り入れる通気部を備えているため、袋本体を耐火性や耐水性、気密性のある素材で形成しても、収容した小動物を生存させた状態で持ち運び、あるいは非常持ち出しすることができる。また、袋本体内に小動物の収容空間を形成する形状保持部材を備える構成としているので、袋本体を布地のような可撓性のある素材で形成しても、袋本体内に小動物の収容空間を形成することができる。さらに、袋本体を大きめに形成することで、非常用物品等も併せて収納できるので、非常持ち出し袋としても兼用することができる。【００１０】  前記開閉部材としては、開口部を窄める形態で閉じる縛り紐を含む構成とすることが好ましい。縛り紐を用いれば、開口部の開閉操作を簡単に行うことができる上に、開口部も大きくすることが容易になるからである。開口部を大きくしておけば、小動物の出し入れに便利なだけでなく、非常用物品や他の物品の出し入れにも便利になる利点が得られる。【００１１】  前記開閉部材は、開口部を覆う蓋体を含む構成とすることもできる。縛り紐の他に蓋体を設けておくことで、蓋体のみで開口部を閉じることもできるし、両方で閉じることもできる。また、蓋体で開口部を覆うことで、火の粉などの進入を未然に防止できる上に、外観上の体裁も良くすることもできる。さらに、縛り紐の場合、ファスナーを使用するのに比べて、例えば小動物の毛を挟まないようにすることも可能になる。【００１２】  前記通気部はメッシュで形成されていることが好ましい。通気部をメッシュで形成すれば、大きめの通気部を設けても、小動物や小物品の収容状態を確保することができる。【００１３】  前記形状保持部材は、袋本体の底面形状に対応する板状に形成されて袋本体内に配置されている構成としても良い。板状の形状保持部材を袋本体の底部に展開するだけて、袋本体の底部を平坦にすることができる。また、保管時には、形状保持部材を縦にしても横にしても袋本体をコンパクトに折り畳むことができる。【００１４】  前記形状保持部材は、それ自体が撥水性素材で形成又は撥水性素材で被覆されていることが好ましい。また、形状保持部材は、吸水性素材を着脱可能に設けるための着脱機構を含むことが好ましい。小動物は持ち運び時に袋本体内で小水や汚物を出すことも予想される。その際、形状保持部材が撥水性を備えていたり、例えば小動物用のおむつ生地を着脱できるようにしておけば、これらに対応することができる。【００１５】  前記袋本体及び形状保持部材の少なくとも一方が折り畳み可能に構成されていることが好ましい。袋本体を折り畳み可能にする方法としては、袋本体を折り畳みできる素材で形成する方法と、形状保持部材も折り畳み可能にする方法が考えられる。形状保持部材も折り畳み可能にすれば、袋本体をさらに小さく折り畳み可能な構成とす��ことができる。
【発明の効果】
【００１６】  本発明の携帯型収容袋は、地震災害時や緊急時に愛犬や愛猫等の小動物を入れて非常持ち出しする際に有効利用でき、しかも折り畳んで嵩張らないように保管しておくことができる。
【発明を実施するための最良の形態】
【００１７】  （実施例１）
図１及び図２は、本発明の実施例１を示す斜視図である。この実施例１の携帯型収容袋は、愛犬や愛猫等の小動物（図示せず）を出し入れする開口部２を有する袋本体１と、開口部２を開閉する開閉部材３と、袋本体１に設けられ、袋本体１内に外気を取り入れる通気部４と、袋本体１内に装備され、袋本体１内に小動物の収容空間を形成する形状保持部材５と、袋体１を背負うことができるように設けた背負いベルト６とを備えている。【００１８】  袋本体１は、耐火性や耐水性、気密性を有する可撓性素材からなり、図示のようにほぼ円形状の底面部７を有する筒状に形成されている。開口部２は、小動物や他の物品の出し入れを容易に行えるように、底面部７と同程度の面積を持つ大きさに形成されている。そして、この開口部２は、いわゆる巾着のように、縛り紐３１によってその開口部２を開閉することができる構成としている。【００１９】  縛り紐３１はループ状にしてあり、ループの大きさを調整できる調整用止め具３２を備えている。通気部４は袋本体１の側面（周面）に、耐熱性のメッシュによって矩形状に設けられている。【００２０】  形状保持部材５は、袋本体１の底面形状に対応する板状（円板状）に形成されて袋本体１内に配置されている。この円板状の形状保持部材５を袋本体１の底面部７に敷くように展開するだけて、袋本体１の底面部７を平坦にすることができる。また、保管時には、形状保持部材５を敷いたまま、あるいは縦にしても横にしても袋本体１をコンパクトに折り畳むことができる。【００２１】  実施例１の携帯型収納袋は、袋本体１内に外気を取り入れる通気部３を備えているため、袋本体１を耐火性や耐水性、気密性のある素材で形成しても、収容した小動物を生存させた状態で持ち運び、あるいは非常持ち出しすることができる。また、袋本体１内に小動物の収容空間を形成する形状保持部材５を備える構成としているので、袋本体１を布地のような可撓性のある素材で形成しても、袋本体１内に小動物の収容空間を形成することができる。さらに、袋本体１を大きめに形成することで、非常用物品等も併せて収納できるので、非常持ち出し袋としても兼用することができる。【００２２】  また、開閉部材３は、開口部２を窄める形態で閉じる縛り紐３１を用いた構成としているので、開口部２の開閉操作を簡単に行うことができる上に、開口部２も大きくすることができる。開口部２を大きくしておけば、緊急であわてふためいているときに小動物の出し入れが簡単で便利なだけでなく、非常用物品や他の物品の出し入れにも便利にすることができる。【００２３】  さらに、通気部４をメッシュで形成することで、大きめの通気部４を設けても、小動物や小物品の収容状態を確保することができる。【００２４】  （実施例２）
図３及び図４は、本発明の実施例２を示す斜視図である。この実施例２の携帯型収容袋も、愛犬や愛猫等の小動物（図示せず）を出し入れする開口部２を有する袋本体１と、開口部２を開閉する開閉部材３と、袋本体１に設けられ、袋本体１内に外気を取り入れる通気部４と、袋本体１内に装備され、袋本体１内に小動物の収容空間を形成する形状保持部材５と、袋体１を背負うことができるように設けた背負いベルト６とを備えている。【００２５】  但し、この実施例２の携帯型収容袋は、次の点で実施例１の携帯型収容袋と異なっている。第１に、開閉部材３は、開口部２を覆う蓋体３３を含む構成としている点である。第２に、縛り紐３１はループ状ではなく、両端を有する一本の紐としている点である。第３に、袋本体１は平面長方形の底面部７を有する角筒状に形成している点である。従って、形状保持部材５も底面部７の形状に対応させて平面長方形に形成されている。第４に、通気部４は、袋本体１の４つの側面のうち、背負いベルト６の設けられた側面を除く、３つの側面に設けられている点である。第５に、蓋体３３は止め金具３４、３５によって開口部２を簡易に開閉できる構成としている点である。勿論、この止め金具に替えて、ベルベット式ファスナー（マジックテープ：登録商標）を用いても、開口部２を簡易に開閉できる構成とすることができる。【００２６】  この実施例２のように、縛り紐３１の他に蓋体３３を設けておくことで、蓋体３３のみで開口部２を閉じることもできるし、両方で閉じることもできる。また、蓋体３３で開口部を覆うことで、火災時における火の粉などの進入を未然に防止できる上に、外観上の体裁も良くすることもできる。さらに、縛り紐３１や止め間具、マジックテープの場合、通常のファスナーを使用するのに比べて、例えば小動物の毛や手足を挟まないようにすることが可能になる。【００２７】  （実施例３）
図５及び図６は、本発明の実施例３を示す斜視図である。なお、この実施例３において、実施例２と基本的に同一の構成要素については同一の符号を付してその説明を簡略化する。【００２８】  この実施例３の携帯型収容袋では、袋本体１の一つの側面（背負いベルト６が設けられている側面と反対側の側面）に別の収容部８が設けられている点、及び通気部４が相対する二つの側面に設けられている点で、実施例２の携帯型収容袋と相違している。別の収容部８を設けることで、携帯型収容袋としての機能をさらに高めることができる。なお、図７に示すように、別の収容部８を二つに分けて（独立させて）設けても良い。【００２９】  （実施例４）
図８は、本発明の実施例４を示す斜視図である。なお、この実施例４において、先の実施例と基本的に同一の構成要素については同一の符号を付してその説明を簡略化する。【００３０】  この実施例４の携帯型収容袋は、その外観をいわゆる手提げカバンの形態としたもので、上面が開口した直方体状の輪郭を持つ袋本体１と、袋本体１の開口部２を開閉する蓋体３３と、袋本体１の相対する側面に設けた通気部４と、手提げベルト９とを備えている。この実施例の袋本体１も、耐熱性や耐水性、気密性のある素材で形成されているが、カバンの形状を保持するために、可撓性を低下させて堅めにした素材で形成されている。従って、この実施例４では形状保持部材５は必ずしも装備しなくて良い場合もある。なお、袋本体１を可撓性のある素材で形成した場合には、形状保持部材５を装備することが好ましい。【００３１】  （実施例５）
図９は、本発明の実施例５を示す斜視図である。なお、この実施例５において、先の実施例と基本的に同一の構成要素については同一の符号を付してその説明を簡略化する。【００３２】  この実施例５の携帯型収容袋も、その外観をいわゆる手提げカバンの形態としたもので、上面が開口したほぼ直方体状の輪郭を持つ袋本体１と、袋本体１の開口部２を開閉する蓋体３３と、袋本体１の相対する側面に設けた通気部４と、二つの手提げベルト９とを備えている。この実施例の袋本体１も、耐熱性や耐水性、気密性のある素材で形成されているが、カバンの形状を保持するために、可撓性を低下させて堅めにした素材で形成されている。従って、この実施例５でも形状保持部材５は必ずしも装備しなくて良い場合もある。袋本体１を可撓性のある素材で形成した場合には、形状保持部材５を装備することが好ましい。【００３３】  なお、上記各実施例の形状保持部材５については、小動物の汚物等に直接触れる点に配慮して、それ自体を合成樹脂等の撥水性素材で形成するか、又は厚紙等を樹脂シート等の撥水性素材で被覆することが好ましい。また、形状保持部材５は、吸水性素材を着脱可能に設けるための着脱機構を含むことが好ましい。小動物は持ち運び時に袋本体１内で小水や汚物を出すことも予想される。その際、形状保持部材５が撥水性を備えていたり、例えば小動物用のおむつ生地を着脱できるようにしておけば、これらに対応することができるからである。【００３４】  （実施例６）
図１０及び図１１は、本発明の実施例６を示す分解斜視図及び断面図である。この実施例６は、形状保持部材５が、吸水性素材１０を着脱可能に設けるための着脱機構を含む構成とした例を示すものである。【００３５】  この形状保持部材５は、全体が例えば合成樹脂等により形成されており、平面長方形輪郭の枠部材５１と、枠部材５１の裏面側からはめ込むようにセットする平面長方形の板材５２とを備えている。枠部材５１は四つの側板部５ａと、各側板部５ａの上端から内側にフランジ状に突出した押さえ片５ｂとを有する枠状に形成されている。【００３６】  したがって、この形状保持部材５の使用に際しては、図１１に示すように、板材５２の平面形状にほぼ対応する平面形状にしたおむつ生地等の吸水性素材１０を板材５２上に載せ、その上から枠部材５１を被せるだけで、形状保持部材５に対して吸水性素材１０を簡易に装着することができる。【００３７】  この状態では、押さえ片５ｂの部分が吸水性素材１０の周縁部を押さえて、板材５１との間で挟み着ける形態となる。この結果、吸水性素材１０は形状保持部材５の上面側に露出する形態で安定的に位置決めされ、容易に移動することはない。なお、必要に応じ、吸水性素材１０を板材５１に対して、両面テープ等により固定する方法を採用してもよい。【００３８】  なお、袋本体１及び形状保持部材５の両方を折り畳み可能に構成することも好ましい。袋本体１を折り畳み可能にする方法としては、袋本体１を折り畳みできる素材で形成すると共に、形状保持部材５も折り畳み可能にする方法が考えられる。形状保持部材５も折り畳み可能にすれば、袋本体１をさらに小さく折り畳み可能な構成とすることができる。【００３９】  （実施例７）
図１２及び図１３は本発明の実施例７を示す斜視図及び側面図である。この実施例７は、形状保持部材５０全体を折り畳み可能にした例を示すものである。即ち、この実施例の形状保持部材５０は、実施例１〜６の円形や長方形の形状保持部材５に変えて、例えば図３や図９に示すような直方体状の袋本体１全体の形状を保持できるように構成した例を示したものである。【００４０】  この形状保持部材５０は、それぞれ矩形リング状に形成した二つのリング材５３、５４を、同軸に設けたヒンジ部５５、５５によって相対回動可能に連結することで、折り畳み可能に構成したものである。ただし、図１２に示す展開位置においてその展開状態を保持できるように、ストッパ材５６を設けている。このストッパ材５６は、リング材５３、５４の下片部分どうしを連結していて、図１３に示すように、中央部５７から上方へのみ折れ曲がることができる構成としている。これにより、形状保持部材５０は図１２に示す展開位置と、図１３に示す折り畳み位置に変化させることができる。【００４１】  この形状保持部材５０を使用する場合、袋本体１内に収容するだけでその機能を発揮させることができるが、袋本体１内に収容した形状保持部材５０を部分的に袋本体１に固定又は仮固定して袋本体１と一体化させてもよい。また、形状保持部材５０を大きめに構成して、袋本体１の外側に装着する形態で使用することも可能である。
【図面の簡単な説明】
【００４２】
【図１】本発明の実施例１を示す携帯型収容袋の斜視図。
【図２】本発明の実施例１を示す携帯型収容袋の斜視図。
【図３】本発明の実施例２を示す携帯型収容袋の斜視図。
【図４】本発明の実施例２を示す携帯型収容袋の斜視図。
【図５】本発明の実施例３を示す携帯型収容袋の斜視図。
【図６】本発明の実施例３を示す携帯型収容袋の斜視図。
【図７】本発明の実施例３における携帯型収容袋の収納部の変形例を示す斜視図。
【図８】本発明の実施例４を示す携帯型収容袋の斜視図。
【図９】本発明の実施例５を示す携帯型収容袋の斜視図。
【図１０】本発明の実施例６を示す携帯型収容袋の形状保持部材の分解斜視図。
【図１１】本発明の実施例６を示す携帯型収容袋の形状保持部材の断面図。
【図１２】本発明の実施例７を示す携帯型収容袋の形状保持部材の斜視図。
【図１３】本発明の実施例７を示す携帯型収容袋の形状保持部材の側面図。
【符号の説明】
【００４３】１  袋本体
２  開口部
３  開閉部材
３１  縛り紐
３２  調整用止め具
３３  蓋体
４  通気部
５、５０  形状保持部材
５１  枠部材
５２  板材
６  背負いベルト
７  底面部
１０  吸水性素材
【図１】
2006346390.tif 000003
【図２】
2006346390.tif 000004
【図３】
2006346390.tif 000005
【図４】
2006346390.tif 000006
【図５】
2006346390.tif 000007
【図６】
2006346390.tif 000008
【図７】
2006346390.tif 000009
【図８】
2006346390.tif 000010
【図９】
2006346390.tif 000011
【図１０】
2006346390.tif 000012
【図１１】
2006346390.tif 000013
【図１２】
2006346390.tif 000014
【図１３】
2006346390.tif 000015